(57)【要約】【課題】【解決手段】本発明は、薬剤の中でも特に粘液質の人工涙液を入れる使い捨て可能な薬剤容器に関するものである。本発明の使い捨て可能な薬剤容器は、本体を密封するように本体に蓋で連結されており、蓋（４）の底部に空間部（６）を形成して、蓋（４）を本体（５）から外した後も、本体（５）の開口部（８）を蓋（４）で繰り返し開閉出来るようになっている。又、突起部（１４）を設けた上部本体（１１）と、溝部（１５）を設けた下部本体（１２）からなる携帯ケースに薬剤の容器を密閉して入れることができる。本発明は、短期間に数回に渡って使われる薬剤の場合、繰り返し利用が可能なため、非常に経済的である。【選択図】図４
2008526465.tif 000002
【特許請求の範囲】
【請求項１】
本体を密閉するために本体に蓋が連結されている使い捨て可能な薬剤容器において、蓋（４）の底部に空間部（６）を形成し、蓋（４）を本体（５）から取り外した後でも、本体（５）の開口部（８）を蓋（４）によって繰り返し開閉出来るように構成したことを特徴とする薬剤容器。
【請求項２】
携帯可能なケースに気密状態で保持された請求項１に記載の使い捨て可能な薬剤容器において、前記ケースの上部本体（１１）の下端内側面に形成された突起部（１４）が、下部本体（１２）の上端に形成された対応する溝部（１５）に差し込まれるように構成したことを特徴とする薬剤容器。
【請求項３】
請求項２に記載の使い捨て可能な薬剤容器において、前記下部本体（１２）の内部に、薬剤の容器の装填誘導部（１０）に薬剤容器を装填して前記薬剤容器の移動を防ぐようにガイド壁（１３）が形成されていることを特徴とする薬剤容器。
【発明の詳細な説明】
【技術分野】
【０００１】技術分野
本発明は、薬剤の中でも特に粘液質の人工涙液を入れる使い捨て可能な薬剤容器に関するものである。【０００２】背景技術
眼球乾燥症の患者や、コンタクトレンズの使用による眼疾患患者などは、人工涙液を使用している。【０００３】  人工涙液は通常１日５〜６回程度、少しずつ点眼するため、患者は人工涙液を持ち歩いて必要に応じて随時使用することになる。【０００４】  人工涙液は、長時間外気にさらされる場合、変質しやすいため、これを防ぐために防腐剤を使用する製品が一般に用いられている。【０００５】  防腐剤が含まれた人工涙液を使用する場合、この人工涙液は眼球に有害であることが当然であるため、最近では防腐剤を含有しない使い捨て可能な人工涙液の製品が広く使われている。【０００６】  このような使い捨て可能な人工涙液の製品を収納する従来の使い捨て可能な薬剤容器が、図１および図２に図示されている。図１及び図２に示すように、この薬剤容器はすなわち人工涙液が入った本体（１）と、本体（１）の開口（２）を密封する蓋（３）を具えており、使用時には蓋（３）を取り外して開口（２）を通じて人工涙液を点眼するようにしたものである。【０００７】  ところが、このような使い捨て可能な薬剤容器は、一旦開封した後、１回に１滴点眼した後は、再使用することが出来ずに、容器と残った涙液を全て廃棄しなければならず、非経済的な問題点があった。【０００８】発明の技術的課題
本発明の技術的な目的は、上記のような従来の使い捨て可能な薬剤容器の問題点を解決することである。すなわち容器の蓋の部分の構造を改良し、容器の開口を開閉できるようにすることで、１回使用した後も、容器に残った人工涙液の再使用が可能となるようにした。【０００９】発明の構成
本発明は、蓋の底部に本体の開口部が入るように、一定の空間部を設けることで、密封していた蓋を容器本体から取り外した後でも、容器の開口を繰り返して開閉することが出来るように構成されていることを特徴とする。添付した図面を参照しながら本発明を詳しく説明すると、次のようになる。【００１０】  図３および図４は、本発明による薬剤容器の斜視図と断面図である。本発明の薬剤容器は、蓋（４）と本体（５）から構成されている。蓋（４）の底部には空間部（６）が形成されている。本体（５）の内部には、人工涙液の保存部（７）が形成されており、蓋（４）は涙液を外部に排出する開口部（８）に、開口部（８）の上端が接合部（９）によって密封された状態で、本体（５）に繋がっている。【００１１】  人工涙液を最初に使用する際は、接合部（９）に力を加え、図５に図示すように蓋（４）を本体（５）から取り外した後、保存部（７）を押して人工涙液を点眼する。【００１２】  最初の点眼を終えた後は、図６に示すように蓋（４）で開口部（８）を塞ぐが、蓋（４）の底部に空間部（６）が形成されているために、ここに開口部（８）を収容することができ、蓋（４）を再び閉じることが出来る。【００１３】  以降は点眼を行うごとに、蓋（４）の開閉を繰り返し、残った涙液を使用することになる。【００１４】  前述したように、人工涙液は通常１日５〜６回程度、１回に少しずつ点眼することを考えて、容器の涙液保存部（７）に、それに見合う量が収納されており、この保存部（７）に収納されている涙液を一日で使いきる。【００１５】  蓋（４）の密封状態を開放して、蓋を繰り返し開閉することで人工涙液は外気に露出される状態となるが、本発明の容器は、１日で使い切るように構成されており、容器内の涙液が長時間外部に露出されることは無く、この程度の露出では涙液の変質による健康上の問題は無い。【００１６】  符号１０は、薬剤容器を後述する携帯ケースに納める際に使用する装填誘導部である。【００１７】  図７および図１０は、本発明の薬剤容器の携帯ケースを示す。【００１８】  本発明の薬剤容器は、蓋（４）を繰り返し開閉することによって、１日数回に渡って使用するため、外出時には容器を持って行く必要がある。薬剤容器を持ち運ぶときに、不注意により蓋（４）が開いてしまう恐れがあり、蓋（４）が開くと、人工涙液が漏れ出したり汚染される。【００１９】  携帯ケースは、薬剤容器を安全に保護し、不注意による人工涙液の漏れや汚染を防ぐためのものである。【００２０】  携帯ケースは上部本体（１１）と下部本体（１２）により区分されており、その内部の空間に薬剤の容器を入れられるようになっている。【００２１】  上部本体（１１）の上端と、下部本体（１２）の下端は、閉じることができる。【００２２】  下部本体（１２）の内部には、図９に示すようにガイド壁（１３）が形成されており、ここに薬剤の容器の下部に形成されている装填誘導部（１０）を固定させ、薬剤容器が動くことを防ぐ。【００２３】  上部本体（１１）の下端両側には、突起部（１４）が形成されており、下部本体（１２）の上端の両側には、溝部（１５）が形成されている。よって突起部（１４）が溝部（１５）に差し込まれて結合すること��、上部本体（１１）と下部本体（１２）がしっかりと連結されると共に、ケースの内部が密閉される。【００２４】  本発明は、人工涙液の使い捨て可能な容器への適用例について述べたが、他の薬剤や製品の使い捨て可能な容器としても広く利用出来ることは勿論である。【００２５】発明の効果
以上のような本発明の使い捨て可能な容器は、短期間に数回に渡り薬剤を使用する場合、繰り返し再利用が可能なため、非常に経済的である。
【図面の簡単な説明】
【００２６】
【図１】図１は従来の使い捨て可能な薬剤容器の構成を表わす断面図である。
【図２】図２は図１に示す従来の使い捨て可能な薬剤容器の蓋を外した状態を表わす断面図である。
【図３】図３は本発明による薬剤容器の斜視図である。
【図４】図４は図３に示す薬剤容器の正面断面図である。
【図５】図５は図４に示す薬剤容器の蓋を外した状態を表わす断面図である。
【図６】図６は蓋をした状態を表わす断面図である。
【図７】図７は薬剤容器を入れる携帯ケースの斜視図である。
【図８】図８は携帯ケースの使用状態を示す図である。
【図９】図９は携帯ケースのガイド壁を表わす平断面図である。
【図１０】図１０は携帯ケースの連結状態を表わす図である。
【符号の説明】
【００２７】４：蓋
５：本体
６：空間部
７：保存部
８：開口部
９：接合部
１１：上部本体
１２：下部本体
１３：ガイド壁
１４：突起部
１５：溝部
【図１】
2008526465.tif 000003
【図２】
2008526465.tif 000004
【図３】
2008526465.tif 000005
【図４】
2008526465.tif 000006
【図５】
2008526465.tif 000007
【図６】
2008526465.tif 000008
【図７】
2008526465.tif 000009
【図８】
2008526465.tif 000010
【図９】
2008526465.tif 000011
【図１０】
2008526465.tif 000012
【国際調査報告】
2008526465.tif 000013